(57)【要約】【課題】簡易な構成で低コストを実現でき、表示装置の転倒時や持ち運び時にもディスプレイを保護することが可能となるディスプレイ保護機構を提供する。【解決手段】ディスプレイ保護機構は、ディスプレイを保護する保護部材と、ディスプレイの上部に水平に取り付けられ、保護部材を収納する収納部と、を備え、収納部の傾斜に応じて収納部内の保護部材がディスプレイを被覆する。【選択図】図１
2009237501.tif 000002
【特許請求の範囲】
【請求項１】
ディスプレイを保護する保護部材と、
前記ディスプレイの上部に水平に取り付けられ、前記保護部材を収納する収納部と、
を備え、
前記収納部の傾斜に応じて前記収納部内の前記保護部材が前記ディスプレイを被覆することを特徴とするディプレイ保護機構。
【請求項２】
前記ディスプレイの側部に設けられ、前記保護部材を前記ディスプレイの前面に案内する案内部材をさらに備え、
前記保護部材は所定の強度をもつ複数の棒状部材からなり、前記収納部の傾斜に応じて前記棒状部材が前記収納部から落下し、前記案内部材により案内されて前記ディスプレイを被覆することを特徴とする請求項１に記載のディプレイ保護機構。
【請求項３】
前記案内部材はレール状の中空部を有し、前記収納部の傾斜に応じて前記棒状部材が前記中空部を滑走して前記ディスプレイを被覆することを特徴とする請求項２に記載のディプレイ保護機構。
【請求項４】
前記棒状部材はそれぞれが接続部材で連結され、前記収納部の傾斜に応じて、最初に落下する前記棒状部材に引っ張られて全ての前記棒状部材が落下して前記ディスプレイを被覆することを特徴とする請求項２又は３に記載のディプレイ保護機構。
【請求項５】
ディスプレイを保護する保護部材と、
前記ディスプレイの上部に水平に取り付けられ、前記保護部材を収納する収納部と、
前記ディスプレイの下部に水平に取り付けられ、前記保護部材を前記収納部から引き出して前記ディスプレイの前面に覆う引き出し部と、
を備え、
前記引き出し部の傾斜に応じて前記収納部内の前記保護部材が前記ディスプレイを被覆することを特徴とするディプレイ保護機構。
【請求項６】
前記保護部材は所定の緩衝性をもつ布状部材からなり、前記引き出し部の傾斜に応じて、前記引き出し部が前記収納部から前記布状部材を引き出して前記ディスプレイを被覆することを特徴とする請求項５に記載のディプレイ保護機構。
【請求項７】
前記引き出し部は巻き取り部材を有し、前記布状部材には前記巻き取り部材により引っ張られた状態で接続部材が取り付けられ、前記引き出し部の傾斜に応じて、前記巻き取り部材が前記接続部材を巻き取り、前記布状部材を引き出して前記ディスプレイを被覆することを特徴とする請求項６に記載のディプレイ保護機構。
【請求項８】
前記引き出し部は傾き検知部及び巻き取り部材を有し、前記布状部材には前記巻き取り部材により引っ張られた状態で接続部材が取り付けられ、前記傾き検知部は前記引き出し部が所定の角度だけ傾いたことを検知すると前記巻き取り部材に前記接続部材の巻き取りを開始させ、前記布状部材を引き出して前記ディスプレイを被覆することを特徴とする請求項６又は７に記載のディプレイ保護機構。
【請求項９】
ディスプレイを保護する保護部材と、
前記ディスプレイの上部に水平に取り付けられ、前記保護部材を収納する収納部と、
を備えたディスプレイ保護機構を有し、
前記ディプレイ保護機構は、前記収納部の傾斜に応じて前記収納部内の前記保護部材が前記ディスプレイを被覆することを特徴とする表示装置。
【請求項１０】
前記ディスプレイ保護機構は、前記ディスプレイの側部に設けられ、前記保護部材を前記ディスプレイの前面に案内する案内部材をさらに備え、
前記保護部材は所定の強度をもつ複数の棒状部材からなり、前記収納部の傾斜に応じて前記棒状部材が前記収納部から落下し、前記案内部材により案内されて前記ディスプレイを被覆することを特徴とする請求項９に記載の表示装置。
【請求項１１】
前記案内部材はレール状の中空部を有し、前記収納部の傾斜に応じて前記棒状部材が前記中空部を滑走して前記ディスプレイを被覆することを特徴とする請求項１０に記載の表示装置。
【請求項１２】
前記棒状部材はそれぞれが接続部材で連結され、前記収納部の傾斜に応じて、最初に落下する前記棒状部材に引っ張られて全ての前記棒状部材が落下して前記ディスプレイを被覆することを特徴とする請求項１０又は１１に記載の表示装置。
【請求項１３】
ディスプレイを保護する保護部材と、
前記ディスプレイの上部に水平に取り付けられ、前記保護部材を収納する収納部と、
前記ディスプレイの下部に水平に取り付けられ、前記保護部材を前記収納部から引き出して前記ディスプレイの前面に覆う引き出し部と、
を備えたディスプレイ保護機構を有し、
前記ディプレイ保護機構は、前記引き出し部の傾斜に応じて前記収納部内の前記保護部材が前記ディスプレイを被覆することを特徴とする表示装置。
【請求項１４】
前記保護部材は所定の緩衝性をもつ布状部材からなり、前記引き出し部の傾斜に応じて、前記引き出し部が前記収納部から前記布状部材を引き出して前記ディスプレイを被覆することを特徴とする請求項１３に記載の表示装置。
【請求項１５】
前記引き出し部は巻き取り部材を有し、前記布状部材には前記巻き取り部材により引っ張られた状態で接続部材が取り付けられ、前記引き出し部の傾斜に応じて、前記巻き取り部材が前記接続部材を巻き取り、前記布状部材を引き出して前記ディスプレイを被覆することを特徴とする請求項１４に記載の表示装置。
【請求項１６】
前記引き出し部は傾き検知部及び巻き取り部材を有し、前記布状部材には前記巻き取り部材により引っ張られた状態で接続部材が取り付けられ、前記傾き検知部は前記引き出し部が前記所定の角度だけ傾いたことを検知すると前記巻き取り部材に前記接続部材の巻き取りを開始させ、前記布状部材を引き出して前記ディスプレイを被覆することを特徴とする請求項１４又は１５に記載の表示装置。
【発明の詳細な説明】
【技術分野】
【０００１】
本発明は、ディプレイ保護機構及び表示装置に関し、特に、設置された表示装置がディスプレイ面側に転倒したり、ユーザが表示装置を持ち運ぶ際にディスプレイに物が接触したりする場合にディスプレイをそれらの衝撃から守るのに好ましく適用される技術に関するものである。
【背景技術】
【０００２】
従来、コンピュータ等の表示装置として、ＣＲＴ（Cathode Ray Tube）ディスプレイやＬＣＤ（Liquid Crystal Display）が知られている。ＬＣＤは、ＣＲＴディスプレイに比べて省スペースの点で優位性を備えていることから、昨今のオフィス事情や住宅事情も手伝って急速に普及しつつあり、さらなる大型化や薄型化が進展している。そして、近年では、薄型化の進展を受けて、持ち運び可能な薄型ディスプレイの表示装置や、例えば特許文献１にあるようなスタンド部材を用いて立てかけて設置するタイプの表示装置が見られるようになった。
【０００３】
一方で、このような持ち運び可能タイプや立てかけタイプにおいて、持ち運んで移動する際の表示装置と他の物との接触や、設置した表示装置にぶつかって転倒してしまうこと等に、ユーザとしては注意を払わなければならない。これはＬＣＤ表示装置で用いられるＬＤＣパネルは高価で繊細な構成部品であるためであり、このパネル部分を直接の衝撃から保護する必要がある。
【０００４】
これに対し、例えば特許文献２では、転倒時にＬＣＤパネルの破壊を防止できるＬＣＤモニタが開示されている。当該ＬＣＤモニタでは、モニタ転倒時にＬＣＤパネルを直接の衝撃から保護する転倒時保護バーを備え、転倒時保護バーは、ＬＣＤパネルの側面からＬＣＤパネルの前面側あるいは背面側に突出し、ＬＣＤパネルの前面側あるいは背面側に衝突防止空間を形成している。
【０００５】
また、例えば特許文献３では、より確実に物理的衝撃から表示ディスプレイを保護する表示ディスプレイ保護装置が開示されている。当該表示ディスプレイ保護装置は、透明な袋状の保護部材、該保護部材に注入される気体を保持する気体保持部、気体保持部から保護部材への気体の流入を調節する調節弁を備える。そして、位置センサで検出された障害物との距離及び速度算出プログラムで算出された障害物の接近速度が所定の場合に、開閉制御プログラムにより調節弁を開いて保護部材に気体を流入させ保護部材を膨らませる。
【特許文献１】特開２００６−１７３８４７号公報
【特許文献２】特開２００１−５３９７号公報
【特許文献３】特開２００７−２１９３３６号公報
【発明の開示】
【発明が解決しようとする課題】
【０００６】
まず、特許文献１による発明は、表示装置の転倒を抑制するためのものであり、転倒した場合の衝撃からディスプレイを保護する技術については開示されていない。また、特許文献２で開示された発明は、ＬＣＤモニタの転倒時に転倒時保護バーでモニタ本体を支えてパネルの前面（背面）が地面と接触するのを防止するものであり、例えばモニタを持ち運ぶ際に机の角にディスプレイがぶつかってしまうような状況には対応できない。また、特許文献３で開示された発明は、障害物との距離及び障害物の接近速度に応じて保護部材を膨らませるため確かにディスプレイ保護の効果は期待できるが、装置としておおがかりでディスプレイ保護装置を設置するためのコストが高くついてしまい、結果として表示装置が高コストとなってしまう。
【０００７】
そこで、本発明は、上述した事情に鑑みて、簡易な構成で低コストを実現でき、表示装置の転倒時や持ち運び時にもディスプレイを保護することが可能となるディスプレイ保護機構及び該保護機構を備えた表示装置を提供することを目的とする。
【課題を解決するための手段】
【０００８】
かかる目的を達成するために、本発明は、ディスプレイを保護する保護部材と、ディスプレイの上部に水平に取り付けられ、保護部材を収納する収納部と、を備え、収納部の傾斜に応じて収納部内の保護部材がディスプレイを被覆することを特徴とするディスプレイ保護機構である。
【０００９】
また、本発明は、上記のディスプレイ保護機構において、ディスプレイの側部に設けられ、保護部材をディスプレイの前面に案内する案内部材をさらに備え、保護部材は所定の強度をもつ複数の棒状部材からなり、収納部の傾斜に応じて棒状部材が収納部から落下し、案内部材により案内されてディスプレイを被覆することを特徴とするものであってもよい。
【００１０】
また、本発明は、上記のディスプレイ保護機構において、案内部材はレール状の中空部を有し、前記収納部の傾斜に応じて棒状部材が中空部を滑走してディスプレイを被覆することを特徴とするものであってもよい。
【００１１】
また、本発明は、上記のディスプレイ保護機構において、棒状部材はそれぞれが接続部材で連結され、前記収納部の傾斜に応じて、最初に落下する棒状部材に引っ張られて全ての棒状部材が落下してディスプレイを被覆することを特徴とするものであってもよい。
【００１２】
上記目的を達成するために、本発明は、ディスプレイを保護する保護部材と、ディスプレイの上部に水平に取り付けられ、保護部材を収納する収納部と、ディスプレイの下部に水平に取り付けられ、保護部材を収納部から引き出してディスプレイの前面に覆う引き出し部と、を備え、引き出し部の傾斜に応じて収納部内の保護部材がディスプレイを被覆することを特徴とするディプレイ保護機構である。
【００１３】
また、本発明は、上記のディスプレイ保護機構において、保護部材は所定の緩衝性をもつ布状部材からなり、引き出し部の傾斜に応じて、引き出し部が収納部から布状部材を引き出してディスプレイを被覆することを特徴とするものであってもよい。
【００１４】
また、本発明は、上記のディスプレイ保護機構において、引き出し部は巻き取り部材を有し、布状部材には巻き取り部材により引っ張られた状態で接続部材が取り付けられ、引き出し部の傾斜に応じて、巻き取り部材が接続部材を巻き取り、布状部材を引き出してディスプレイを被覆することを特徴とするものであってもよい。
【００１５】
また、本発明は、上記のディスプレイ保護機構において、引き出し部は傾き検知部及び巻き取り部材を有し、布状部材には巻き取り部材により引っ張られた状態で接続部材が取り付けられ、傾き検知部は引き出し部が所定の角度だけ傾いたことを検知すると巻き取り部材に接続部材の巻き取りを開始させ、布状部材を引き出してディスプレイを被覆することを特徴とするものであってもよい。
【００１６】
そして、本発明は、ディスプレイを保護する保護部材と、ディスプレイの上部に水平に取り付けられ、保護部材を収納する収納部と、を備えたディスプレイ保護機構を有し、ディプレイ保護機構は、収納部の傾斜に応じて収納部内の保護部材が被覆することを特徴とする表示装置である。
【００１７】
また、本発明は、上記の表示装置において、ディスプレイ保護機構は、ディスプレイの側部に設けられ、保護部材を前記ディスプレイの前面に案内する案内部材をさらに備え、保護部材は所定の強度をもつ複数の棒状部材からなり、収納部の傾斜に応じて棒状部材が収納部から落下し、案内部材により案内されてディスプレイを被覆することを特徴とするものであってもよい。
【００１８】
また、本発明は、上記の表示装置において、案内部材はレール状の中空部を有し、収納部の傾斜に応じて棒状部材が中空部を滑走してディスプレイを被覆することを特徴とするものであってもよい。
【００１９】
また、本発明は、上記の表示装置において、棒状部材はそれぞれが接続部材で連結され、収納部の傾斜に応じて、最初に落下する棒状部材に引っ張られて全ての棒状部材が落下してディスプレイを被覆することを特徴とするものであってもよい。
【００２０】
上記目的を達成するために、本発明は、ディスプレイを保護する保護部材と、ディスプレイの上部に水平に取り付けられ、保護部材を収納する収納部と、ディスプレイの下部に水平に取り付けられ、保護部材を収納部から引き出してディスプレイの前面に覆う引き出し部と、を備えたディスプレイ保護機構を有し、ディスプレイ保護機構は、引き出し部の傾斜に応じて収納部内の保護部材がディスプレイを被覆することを特徴とする表示装置である。
【００２１】
また、本発明は、上記の表示装置において、保護部材は所定の緩衝性をもつ布状部材からなり、引き出し部の傾斜に応じて、引き出し部が収納部から布状部材を引き出してディスプレイを被覆することを特徴とするものであってもよい。
【００２２】
また、本発明は、上記の表示装置において、引き出し部は巻き取り部材を有し、布状部材には巻き取り部材により引っ張られた状態で接続部材が取り付けられ、引き出し部の傾斜に応じて、巻き取り部材が接続部材を巻き取り、布状部材を引き出してディスプレイを被覆することを特徴とするものであってもよい。
【００２３】
また、本発明は、上記の表示装置において、引き出し部は傾き検知部及び巻き取り部材を有し、布状部材には巻き取り部材により引っ張られた状態で接続部材が取り付けられ、傾き検知部は引き出し部が所定の角度だけ傾いたことを検知すると巻き取り部材に接続部材の巻き取りを開始させ、布状部材を引き出してディスプレイを被覆することを特徴とするものであってもよい。
【発明の効果】
【００２４】
本発明によれば、簡易な構成で低コストを実現でき、表示装置の転倒時や持ち運び時にもディスプレイを保護することが可能となる。
【発明を実施するための最良の形態】
【００２５】
まず、図面を参照しながら、本発明の実施形態について説明する。本発明の第１の実施形態として、保護部材が棒状のポールであり、該ポールが上から下に向かって落下して表示ディスプレイを保護するような保護機構を示す。また、本発明の第２の実施形態として、保護部材が布状のシートであり、上部に収納された該シートを下方から巻き取って表示ディスプレイに被せるような保護機構を示す。
【００２６】
［実施形態１］
図１は、本発明の第１の実施形態の表示ディスプレイ保護機構の構成を示した斜視図である。本実施形態における表示装置２は、表示ディスプレイ３と端末本体（マザーボードやハードディスク等、不図示）が一体となって端末本体部を形成し、キーボード６とともにパーソナルコンピュータ１を構成する。また、表示装置２は、表示ディスプレイ３とは反対側の面に取り付けられたスタンドに支持されて傾斜をつけて立てかけられて設置される。また、表示装置２は、ディスプレイ保護ポールを収納した保護ポール収納部４を上部に、保護ポール収納部４からのディプレイ保護ポールを案内するガイドレール５を両側部に備える。
【００２７】
図２は、本実施形態の表示ディスプレイ保護機構の構成を示した側面図である。保護ポール収納部４は、ディスプレイ面から背面に向けてディプレイ保護ポール４１を一列に収納する。そして、ガイドレール５には、保護ポール収納部４から落下してくるディスプレイ保護ポール４１を受け、ディスプレイ表面から所定の間隔を保ちながらディスプレイ保護ポールを滑走させるレール溝５１が形成されている。
【００２８】
図３は、本実施形態における表示ディスプレイの保護を説明するための図である。本実施形態では、図３に示すように、ユーザが持ち運びの際に表示装置２を傾けたとき、表示装置２の上部に設けられた保護ポール収納部４からディスプレイ保護ポール４１が落下して表示ディスプレイ３の前面を覆う。そして、ディスプレイ保護ポール４１は、ディスプレイ下方への落下時にガイドレール５のレール溝５１の中を滑走する。このため、表示装置２を持ち運ぶ際に起こる他の物との接触から表示ディスプレイ３を実効的に保護できる。また、持ち運びの場合のみならず、設置した表示装置が転倒してしまう場合にも、転倒前に傾くためにディスプレイ保護ポール４１が落下することから表示ディスプレイ３を有効に保護できる。
【００２９】
図４は、本実施形態における保護ポール収納部４の内部構成を示した図である。図４（ａ）は平常時（傾斜なし）の内部の様子を表し、図４（ｂ）は傾斜時の内部の様子を表している。保護ポール収納部４には、全てのディスプレイ保護ポール４１を収容できる中空部４３が形成されている。また、表示ディスプレイ３側端部の下部には、ディスプレイ保護ポール４１が下方に向けて落下するための開口部４４が形成されている。また、保護ポール収納部４の底面には、開口部４４付近の位置に陥没部４５が形成されている。開口部４付近の位置とあるが、具体的には、全てのディスプレイ保護ポール４１が収納されたときの、最初に落下する保護ポールの収容位置である。
【００３０】
陥没部４５は、保護ポール収納部４が所定の角度をつけて傾くまでディスプレイ保護ポール４１の落下を抑えるストッパの役割を果たしており、図４（ａ）に示すように、平常時は最初に落下する保護ポールが陥没部４５上に位置し、ディスプレイ保護ポール４１の全体の落下を抑止している。ところが、保護ポール収納部４が所定の角度を超えて傾斜すると、図４（ｂ）に示すように、ディスプレイ保護ポール４１は次々と開口部４４に向かって移動し、下方へ落下していく。なお、ディスプレイ保護ポール４１は、それぞれのポールが連結コード４２で連結して接続されている。これは、ディスプレイ保護ポール４１が表示ディスプレイ３上を適当な間隔で被覆するためのものである。
【００３１】
図５は、本実施形態におけるディスプレイ保護ポール及びガイドレールを説明するための図である。図５（ａ）はディスプレイ保護ポール４１及びガイドレール５１をディスプレイ面の上方（垂直方向手前）から見た図を表し、図５（ｂ）はディスプレイ保護ポール４１及びガイドレール５１をディスプレイ面の側方（平行並行）から見た図を表している。
【００３２】
本実施形態においてディスプレイ保護ポール４１はアルミニウムで構成されており、フランジ部４１ａ、軸部４１ｂ、コード固定部４１ｃが形成されている。フランジ部４１ａは、軸部４１ｂの両端部に取り付けられたフランジ形状の部分で、ガイドレール５のレール溝５１の内部を滑走する。ディスプレイ保護ポール４１の両端部は、フランジ形状に限るものではなく、レール溝５１の内部を滑走するものであればどのような形状でもよい。例えば、レール溝５１の幅より大きい直径を有する球形とすることができる。軸部４１ｂは、表示ディスプレイ３の全面に被覆して画面を保護する部分である。コード固定部４１ｃは、ガイドレール５の近傍に設けられており、各保護ポールを連結する連結コード４２が固定されている。なお、本実施形態ではディスプレイ保護ポール４１はアルミニウムで構成したが、これに限るものではなく、ある程度の強度や硬度を有するものであればどのような材質でもよい。例えば、カーボン、チタン、木材等で構成することができる。
【００３３】
上述した本実施形態によれば、表示装置を持ち運ぶ場合において、他の物と接触することによる表示ディスプレイの破損を防止でき、実効的に表示ディスプレイを保護することが可能となる。また、表示装置が転倒してしまう場合において、設置面に強打することによる表示ディスプレイの破損を防止でき、実効的に表示ディスプレイを保護することが可能となる。さらに、電力等を利用せず重力のみで動作するように簡易に構成しているため、低コストな表示ディスプレイ保護機構が実現可能となる。
【００３４】
［実施形態２］
図６は、本発明の第２の実施形態の表示ディスプレイ保護機構の構成を示した斜視図である。本実施形態における表示装置１２は、実施形態１と同様に、表示ディスプレイ１３と端末本体（マザーボードやハードディスク等、不図示）が一体となって端末本体部を形成し、キーボード６とともにパーソナルコンピュータ１１を構成する。また、表示装置１２は、表示ディスプレイ１３とは反対側の面に取り付けられたスタンドに支持されて傾斜をつけて立てかけられて設置される。また、表示装置１２は、シート引き出しコード１６が両側端部に取り付けられたディスプレイ保護シートを収納した保護シート収納部１４を上部に備える。また、表示装置１２は、シート引き出しコード１６を巻き付けて収容するコード巻き付け部１５を下部に備える。なお、本実施形態では、ディスプレイ保護シートは布である。
【００３５】
図７は、本実施形態の表示ディスプレイ保護機構の構成を示した側面図である。保護シート収納部１４は、ロール状に心棒に巻かれたディスプレイ保護シートを収納する。また、保護シート収納部１４は、心棒の一部として収納部の外側に設けられたシート巻き戻し部１４ａを有する。ディスプレイ保護シートがディスプレイの前面に被覆された後に、シート巻き戻し部１４ａを矢印方向に回すと心棒に保護シートが巻かれて保護シート収納部１４にロール状となって収容される。ディスプレイ保護シートにはシート引き出しコード１６が取り付けられ、またシート引き出しコード１６はコード巻き付け部１５に巻き付けられており、保護シート収納部１４及びコード巻き付け部１５によりシート引き出しコードは張られた状態となっている。
【００３６】
図示するのは省略するが、本実施形態では、表示装置１２が所定の角度を有して傾いたとき、コード巻き付け部１５はシート引き出しコード１６の巻き付けを開始し、この巻き付けにより保護シート収納部１４内のディスプレイ保護シートが巻き出されて下方へ移動し表示ディスプレイ１３の前面を覆う。このため、表示装置１２を持ち運ぶ際に起こる他の物との接触から表示ディスプレイ１３を実効的に保護できる。また、持ち運びの場合のみならず、設置した表示装置が転倒してしまう場合にも、転倒前に傾くためにディスプレイ保護シートが巻き出されることから表示ディスプレイ１３を有効に保護できる。
【００３７】
図８は、本実施形態のコード巻き付け部１５の内部構成を示した図である。図８（ａ）は平常時（傾斜なし）の内部の様子を表し、図８（ｂ）は傾斜時の内部の様子を表している。コード巻き付け部１５は、傾斜検知部６０、巻き付け抑止部７０、巻き付け部８０を有して構成される。傾斜検知部６０は、検知球６１、ケース６２、スイッチ６３を有して構成される。巻き付け抑止部７０は、軸部７１、支持部７２、ストッパ部７３を有して構成される。巻き付け部８０は、回転盤８１、突起部８２を有して構成される。
【００３８】
傾斜検知部６０は、詳細には図９に示すように構成される。すなわち、ケース６２は、検知球６１が十分に収まる長さ、幅、高さをもった直方体の形状をなし、一端の側壁にスイッチ６３を形成し、多端の底面に陥没部６４を形成している。本実施形態では、ロートタイプ（逆円錐の形状）ではなく、すべり台タイプ（直方体の形状）を採用するため、一方向の傾きのみを検知することが可能である。陥没部６４は、コード巻き付け部１５が所定の角度をつけて傾くまで、検知球６１によるスイッチ６３の押下を抑える役割を果たしている。図８（ａ）に示すように、平常時は検知球６１が陥没部６４上に位置し、スイッチ６３の押下を抑止している。ところが、コード巻き付け部１５が所定の角度を超えて傾斜すると、図８（ｂ）に示すように、検知球６１は他端に向かって移動しスイッチ６３を押下する。
【００３９】
巻き付け部８０は、図８（ｂ）の矢印方向に回転するようにバネで付勢されており、巻き付け抑止部７０により回転が抑止されている。詳細には、回転盤８１の円周に突起部８２が設けられており、ストッパ部７３が突起部にひっかかることで該矢印方向への回転が抑えられている。突起部８２は、ストッパ部７３が円周に接触している状態で、矢印方向へは回転させず矢印と逆方向への回転は許容するような形状をもって設けられる。つまり、図８（ｂ）のように傾いた状態でシート引き出しコード１６が巻き付けられた後、図８（ａ）のような水平状態になってシート巻き戻し部１４ａにより保護シートが巻き戻されるようなときでも、スイッチ６３を押下してストッパ部７３を突起部８２から離間させる必要がなく、巻き付け部８０を巻き付けとは逆方向に回転させることが可能である。
【００４０】
巻き付け抑止部７０は、平常時（水平状態）は支持部７２を支点としてバネによりストッパ部７３が巻き付け部８０に接触するように付勢されている。そして、傾斜時に、スイッチ６３により軸部の端部が巻き付け部８０側に押され、支持部７２を支点として押された方向とは逆の方向（巻き付け部と離間する方向）にストッパ部７３を移動させる。
【００４１】
なお、本実施形態ではディスプレイ保護シートは布で構成したが、これに限るものではなく、ある程度の緩衝性や衝撃耐性を有するものであればどのような材質でもよい。例えば、梱包に用いられるビニール素材（細かい空気胞のあるもの）や、靴底に用いられるジェル状の吸収素材等で構成することができる。
【００４２】
上述した本実施形態によれば、表示装置を持ち運ぶ場合において、他の物との接触することや、表示装置の転倒で設置面に強打するによる表示ディスプレイの破損を防止でき、実効的に表示ディスプレイを保護することが可能となる。また、他の物との接触で生じる表示ディスプレイの汚れ付着を防止でき、表示ディスプレイを有効に保護することが可能となる。さらに、電力等を利用せず重力のみで動作するように簡易に構成しているため、低コストな表示ディスプレイ保護機構が実現可能となる。
【００４３】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００４４】
【図１】本発明の実施形態に係る表示ディスプレイ保護機構の構成を示した斜視図である。
【図２】本発明の実施形態に係る表示ディスプレイ保護機構の構成を示した側面図である。
【図３】本発明の実施形態における表示ディスプレイの保護を説明するための図である。
【図４】本発明の実施形態に係る表示ディスプレイ保護機構の一部（保護ポール収納部）の内部構成を示した図である。
【図５】本発明の実施形態に係る表示ディスプレイ保護機構の一部（ディスプレイ保護ポール及びガイドレール）を説明するための図である。
【図６】本発明の実施形態に係る表示ディスプレイ保護機構の構成を示した斜視図である。
【図７】本発明の実施形態に係る表示ディスプレイ保護機構の構成を示した側面図である。
【図８】本発明の実施形態に係る表示ディスプレイ保護機構の一部（コード巻き付け部）の内部構成を示した図である。
【図９】本発明の実施形態に係る表示ディスプレイ保護機構の一部（傾き検知部）を説明するための図である。
【符号の説明】
【００４５】
１，１１    パーソナルコンピュータ
２，１２    表示装置
３，１３    表示ディスプレイ
４    保護ポール収納部
５    ガイドレール
６    キーボード
１４    保護シート収納部
１５    コード巻き付け部
１６    シート引き出しコード
４１    ディスプレイ保護ポール
４１ａ    フランジ部
４１ｂ，７１    軸部
４１ｃ    コード固定部
４２    連結コード
４３    中空部
４４    開口部
４５，６４    陥没部
５１    レール溝
６０    傾き検知部
６１    検知球
６２    ケース
６３    スイッチ
７０    巻き付け抑止部
７２    支持部
７３    ストッパ部
８０    巻き付け部
８１    回転盤
８２    突起部
【図１】
2009237501.tif 000003
【図２】
2009237501.tif 000004
【図３】
2009237501.tif 000005
【図４】
2009237501.tif 000006
【図５】
2009237501.tif 000007
【図６】
2009237501.tif 000008
【図７】
2009237501.tif 000009
【図８】
2009237501.tif 000010
【図９】
2009237501.tif 000011